(57)【要約】水平状の回転軸（１０）上に環設固定した研削ロール（１）を、縦割に二つのスクリーン半部（２・２）に分割可能な同心円筒状の除糠スクリーン（Ｓ）で覆って精米室を形成している構造の横型研削式精米機において、該除糠スクリーン（Ｓ）を二分割した各スクリーン半部（２）の内周面に、該円筒の軸芯に直交する円状断面の円周に沿って湾曲する円弧状部材により構成されたストッパ（３）とフラップ（４）とを軸芯方向にて交互に並ぶように合計複数個固設している。該フラップ（４）と研削ロール（１）の外周との間には、通過量を制限しつつ米を通過可能な距離を確保し、該ストッパ（３）と研削ロール（１）の外周との間の距離は、米を通過できないものとしている。該除糠スクリーン（Ｓ）の両スクリーン半部（２・２）を同一構造とし、それぞれ軸芯方向の両端同士が入れ替わるように反転した場合に、該ストッパ（３）と該フラップ（４）とが入れ替わるような構造としており、該精米機において、少なくとも一方のスクリーン半部（２）を、軸芯方向の両端同士が入れ替わるように反転して設置可能としている。また、両スクリーン半部（２・２）同士の接合面（Ｊ）は、回転軸（１０）を中心とした円周方向に位置変更可能である。
2002100546.tif 000002
【特許請求の範囲】
【請求項１】
水平状の回転軸（１０）上に環設固定した研削ロール（１）を、縦割に二つのスクリーン半部（２・２）に分割可能な同心円筒状の除糠スクリーン（Ｓ）で覆って精米室を形成している構造の横型研削式精米機において、該除糠スクリーン（Ｓ）を二分割した各スクリーン半部（２）の内周面に、該円筒の軸芯に直交する円状断面の円周に沿って湾曲する円弧状部材により構成されたストッパ（３）またはフラップ（４）を固設しており、該フラップ（４）と研削ロール（１）の外周との間には、通過量を制限しつつ米を通過可能な距離を確保し、該ストッパ（３）と研削ロール（１）の外周との間の距離は、米を通過できないものとしていることを特徴とする横型研削式精米機。
【請求項２】
前記除糠スクリーン（Ｓ）の両スクリーン半部（２・２）同士の接合面（Ｊ）を、前記回転軸（１０）を中心とした円周方向に位置変更可能としていることを特徴とする請求の範囲第１項記載の横型研削式精米機。
【請求項３】
前記除糠スクリーン（Ｓ）の両スクリーン半部（２・２）は同一構造であって、それぞれ、軸芯方向の両端同士が入れ替わるように反転した場合に、前記ストッパ（３）と前記フラップ（４）とが入れ替わるような構造としており、該精米機において、少なくとも一方のスクリーン半部（２）を、軸芯方向の両端同士が入れ替わるように反転して設置可能としていることを特徴とする請求の範囲第１項または第２項記載の横型研削式精米機。
【請求項４】
前記各スクリーン半部（２）において、前記ストッパ（３）と前記フラップ（４）とは軸芯方向にて交互に並ぶように、合計で偶数個付設されていることを特徴とする請求の範囲第３項記載の横型研削式精米機。
【請求項５】
水平状の回転軸（１０）上に環設した研削ロール（１）を、同心円筒状の除糠スクリーン（Ｓ）で覆って精米室を形成し、該回転軸（１０）の一端側から玄米を該精米室内に供給して該研削ロール（１）にて精米し、他端側に形成した出口より白米を排出する構造の横型研削式精米機であって、該出口として、自由開度を調整可能なシャッター（１８）を具備した第一出口（６ａ）と、該シャッター（１８）を有しない第二出口（６ｂ）とを設け、該シャッター（１８）の自由開度調整により、低白度精米時には第一出口（６ａ）から、高白度精米時には第二出口（６ｂ）から、中白度精米時には第一出口（６ａ）及び第二出口（６ｂ）から白米の排出を行うことを特徴とする横型研削式精米機。
【請求項６】
前記第二出口（６ｂ）は、前記第一出口（６ａ）の上方にあることを特徴とする請求の範囲第５項記載の横型研削式精米機。
【請求項７】
前記第二出口（６ｂ）を二つとしていることを特徴とする請求の範囲第５項または第６項記載の横型研削式精米機。
【請求項８】
前記二つの第二出口（６ｂ・６ｂ）は、前記回転軸（１０）の方向に見た場合に、左右に一対設けられていることを特徴とする請求の範囲第７項記載の横型研削式精米機。
【請求項９】
水平状の回転軸（１０）上に、一端側から他端側へと順に送りロール（５）及び研削ロール（１）を環設固定し、該研削ロール（１）を同心円筒状の除糠スクリーン（Ｓ）で覆って精米室を形成し、玄米ホッパー（１４）より該送りロール（５）の円周に形成した螺旋溝内に玄米を繰り出し、該送りロール（５）の回転によって該螺旋溝の出口端より該精米室内に玄米を供給して該研削ロール（１）にて精米し、該回転軸（１０）の他端側に形成した出口より白米を排出する構造の横型研削式精米機であって、該送りロール（５）の該螺旋溝（５０ａ・５０ｂ）を一対として、その位相を該送りロール（５）の円周方向に１８０°位相をずらせて形成していることを特徴とする横型研削式精米機。
【請求項１０】
水平状の回転軸（１０）上に、一端側から他端側へと順に送りロール（５）、研削ロール（１）、排出ロール（９）を環設固定し、該研削ロール（１）を同心円筒状の除糠スクリーン（Ｓ）で覆って精米室を形成し、該送りロール（５）より精米室内へと玄米を供給して該研削ロール（１）にて精米し、該排出ロール（９）にて白米を排出する構造の横型研削式精米機であって、該送りロール（５）を収納するケース（１１）に、持上げ係止ブロック（８）を具備しており、該回転軸（１０）上への研削ロール（１）及び排出ロール（９）の装着時に際して、既に該回転軸（１０）上に装着した該送りロール（５）と、該回転軸（１０）を片持ち支持している該軸受支持体（１１）との間に、該持上げ係止ブロック（８）を介装して、該回転軸（１０）を水平に支持することを特徴とする横型研削式精米機。
【請求項１１】
前記軸受支持体（１１）には、前記回転軸（１０）の水平支持のために前記持上げ係止ブロック（８）を配置する位置のすぐ近傍に凹部（１５）を形成し、使用時以外の持上げ係止ブロック（８）を該凹部（１５）内に嵌装していることを特徴とする請求の範囲第１０項記載の横型研削式精米機。
【発明の詳細な説明】
技術分野
本発明は、水平な回転軸上の一端側から他端側へと送りロール、研削ロール、排出ロールを環設固定するとともに、研削ロールを同心円筒状の除糠スクリーンで覆って精米室を形成し、該送りロールより供給した玄米を該精米室内で精米し白米として排出ロールより排出する構造の横型研削式精米機に関する。
背景技術
従来、水平な回転軸上の一端側から他端側へと送りロール、（複数の）研削ロール、排出ロールを環設固定するとともに、研削ロールを同心円筒状の除糠スクリーンで覆って精米室を形成し、該送りロールより供給した玄米を該精米室内で精米し、白米として排出ロールより白米出口へと排出する構造の横型研削式精米機は公知となっている。
上記構造の精米機において、玄米は、玄米ホッパーより繰り出されて、送りロール外周に形成された螺旋溝を介して精米室へと送り込まれる。精米室内では、送りロールから次々と送り込まれる玄米に押されて、精白途中や精白後の米（以後、精米室内における「米」とは、このように、玄米や精白途中、更には精白後の白米が混じった状態の米を指すものとする。）が排出ロールへと押し出され、やがて排出ロールから白米出口へと押し出される。
白米の精白度は、目標とする精白度の違いによって、更には、米の種類によって調整することが望まれるが、この精白度は、精米室内における滞留時間、充填量、また、流路を変更することで調整することができる。
この精米室内の滞留時間や充填量を適度に設定する手段として、従来、除糠スクリーンの内周面に沿って、米の流れを阻止して流路を制限するためのストッパや、流量を抑制するフラップを設けている。ストッパは、除糠スクリーンの内周面に固設されていて、研削ロールとの隙間を極端に小さくして米を流れないようにし、ストッパを設けていない箇所に米を案内して、流路を制限する。フラップは、研削ロールとの隙間をある程度狭くして、その間の米の流量を抑制するのである。従来は、このフラップを可変とし、作業者の手によりその角度を変更したりすることで、精米室内の米の充填量や流動速度（滞留時間）を調整していたのである。
しかし、このような可変式のフラップは、除糠スクリーンの周方向に沿ってあまり長いものを用いることはできない。即ち、除糠スクリーンの略全周にわたってその効果を及ぼすことはできず、精米室内の米の分布を均等化するのに限界があった。そして、除糠スクリーンの構造を複雑なものとしていた。
なお、ストッパと同様にして、固定式のフラップを除糠スクリーンの内周面に固設させる構造も、可変フラップと併せて採用したものもあるが、除糠スクリーン自体が本来固定的なもので、米の種類や、得ようとする精白度の違いによって変更できず、従って、該固定式フラップの位置も固定されるので、望ましい精白度を得られない場合もある。
もう一つ、精白度を調整する手段として、白米の出口の自由開度を調整するという構造がある。即ち、白米の出口に、白米の流動方向に抗する押圧力を有したシャッターを設け、その自由開度を調整するのである。該自由開度を狭くすればするほど、精米室内の滞留時間が増して、精白度が高まるのである。
しかし、このように自由開度を抑制すれば、一方で、精白効率を悪化させる。即ち、白米の単位時間当たりの排出量を低くするので、得ようとする白米量を得るのに長い時間がかかってしまう。
次に従来の横型研削式精米機で問題となるのは、従来、送りロールの螺旋溝は該ロールの始端面から終端面まで一本の溝を形成していたので、回転中に該溝の出口端から精米室内へと排出される玄米の圧力が一点に集中し、その圧力集中点が回転することで、回転軸の軸芯が振れる傾向がある。更に、該送りロールの終端面に対峙する精米室内の最も入口側のストッパやフラップの配置により、一回転中における精米室への圧力のかかり具合が異なることが相まって、研削ロールに振動が起き、精米が不均等になったり、部品の耐久性に影響を与える。
また、該回転軸に対して研削ロールや排出ロールを組み付ける時、先ず、回転軸の入口端側を片持ち支持しながらこれに送りロールを組み付けた後、順次、各研削ロールの中心孔に該回転軸を通して所定位置までスライドして組み付けるという手順を進めていくが、該回転軸に研削ロールを組み付けていくうちに、その重みで出口側端の方が下方に傾斜してくる。こうなると、組み付けた研削ロールが出口側端へとスライドして抜けてしまい、また、新たな研削ロールを所定位置に組み付ける際にも障害になる。
発明の開示
本発明は、水平状の回転軸上に、一端側から他端側へと順に送りロール、研削ロール、排出ロールを環設固定し、該研削ロールを同芯円筒状の除糠スクリーンで覆って精米室を形成し、該送りロールから玄米を該精米室内に供給して該研削ロールにて精米し、該排出ロールにて排出する構造の横型研削式精米機に関するものであって、その第一の目的として、該除糠スクリーンの内部に付設する該精米室内の米の充填量・滞留時間の調整用部材を簡単かつ有効な構造で構成するものである。
この目的を達成すべく、本発明は、該除糠スクリーンを縦割に二つのスクリーン半部に分割可能としており、二分割した各スクリーン半部の内周面に、該円筒の軸芯に直交する円状断面の半円周に沿って湾曲する円弧状部材により構成されたストッパまたはフラップを固設しており、該フラップと研削ロールの外周との間には通過量を制限しつつ米を通過可能な距離を確保し、該ストッパと研削ロールの外周との間の距離は、米を通過できないものとしている。
従って、除糠スクリーン内に従来のような可動式のフラップを設けることなく簡単な構成で固定式のストッパとフラップにより、十分に精米空間における玄米の充填と滞留時間を得ることが出来るようになる。
そして、該回転軸を中心に除糠スクリーンの二つのスクリーン半部同士の接合面を、該回転軸を中心とする円周方向に位置変更可能としており、これにより、各スクリーン半部に付設したストッパまたはフラップの位置を、該回転軸を中心とした円周方向にて変更可能としている。例えば、その接合面を水平に設定可能とし、かつ、鉛直にも設定可能とすることで、両スクリーン半部を上下に接合して構成した除糠スクリーンと、左右に接合して構成した除糠スクリーンの二通りを用意できる。これにより、精米室内における米の流動路が除糠スクリーンの周方向にて変更され、更には、上流側の送りロールにおける玄米出口や精米室下流側の排出ロール及び白米出口に対して、回転軸を中心とする円周方向に、ストッパやフラップの相対位置が変更される。従って、精米室内における米の搬送、そして、精米室への玄米の導入及び精米室からの白米の搬出を最適にすることができ、精米性能を向上するのである。
精米度合いを、玄米の種類や性状等に応じて変化させたい場合には、ストップリングやリングフラップの取付位置や形状（その厚み等）の相違するスクリーン半部をいくつか用意しておき、これらから任意に二つを選択し、組み合わせて除糠スクリーンを構成することにより、多様な玄米の種類や性質に対応することが可能となる。
更に、除糠スクリーンの両スクリーン半部は、ストッパ及びフラップともに付設した同一構造であって、それぞれ、軸芯方向の両端同士が入れ替わるように反転した場合に、ストッパとフラップとが入れ替わるような構造としており、該精米機において、少なくとも一方のスクリーン半部を、軸芯方向の両端同士が入れ替わるように反転して設置可能としている。
このように、同一構成のスクリーン半部を二つ用意して、玄米の種類等に応じて充填量や滞留時間の設定の異なる二種類の除糠スクリーンを構成することができるので、安価かつ対応バリエーションの高い横型研削式精米機を提供できる。
このような同一構造の各スクリーン半部において、ストッパとフラップとは軸芯方向にて交互に並ぶように、合計で偶数個付設されている。
例えば、スクリーン半部を上下に接合して除糠スクリーンを構成し、上側のスクリーン半部を上記のように反転可能とし、下側のスクリーン半部のストッパ・フラップについては、入口側端に最も近いものをストッパ、出口側端に最も近いものをフラップとしている場合を想定する。
上側のスクリーン半部において、入口側端に最も近いものをフラップ、出口側端に最も近いものをストッパとすれば、除糠スクリーン内で、各研削ロールを挟んで上下に対峙状に配置されるストッパまたはフラップの組み合わせは、全て、ストッパとフラップとの組み合わせとなる。但し、フラップとストッパとは、入口側端から順に、上下入れ替わる。この除糠スクリーンでは、各ストッパにて阻止された米が殆どフラップを介して出口側へと流動することとなる。
上側のスクリーン半部を反転し、入口側端に最も近いものをストッパ、出口側端に最も近いものをフラップとすれば、除糠スクリーン内で、各研削ロールを挟んで上下に対峙状に配置されるストッパまたはフラップの組み合わせは、入口側端から順に、上下ストッパ同士、上下フラップ同士の組み合わせが交互に繰り返されるものとなる。ストッパが上下両側に配設される部分を構成するので、米の流動経路は極端に狭められる。精米室内の米の充填量及び滞留時間を高く設定したい時にこのようにして除糠スクリーンを構成すればよい。
本発明の第二の目的は、精白度を変更する場合に、自由開度（出口閉塞度）を変更することで、精米室内の米の充填量及び滞留時間を変更する手段を取る場合に、その出口閉塞度の違いに応じて白米を円滑に排出する構造を提供することである。
本目的を達成すべく、排出ロールの排出側に形成する白米出口として、自由開度を調整可能なシャッターを具備した第一出口と、該シャッターを有しない第二出口とを設け、該シャッターの自由開度調整により、低白度精米時には第一出口から、高白度精米時には第二出口から、中白度精米時には第一出口及び第二出口から白米の排出を行う。
従って、シャッターの自由開度調整により精米室内の米の滞留時短及び充填量を調整することで、精白度を変更する構造を有しながら、その閉塞度を高めても第二出口から高白度の白米を円滑に排出することができる。そして、低白度の白米を得たい場合には、シャッターの自由開度を大きくして、第一出口より速やかにそのような白米を排出することができる。
このような構造において、第二出口を、第一出口の上方にすることで、シャッターの閉塞度を高めた時に第一出口より排出されずに精米室に充填された米のレベルの上昇に対応して、第二出口からの高白度の米の排出を行うことができる。
そして、この高白度時における第二出口を二つとすることで、いずれか一つを選択的に閉じることで、更に精米室内の滞留時間を長くしてより一層精白度を高めたり、或いは、第二出口を二つとも使用することで、精白効率を高めたりすることが可能である。
また、第二出口を、該回転軸の方向に見た場合に、左右に一対設けることにより、該第二出口より排出される米を、該回転軸を回避して、滞留させることなく円滑に左右均等状に落下させて、白米排出用の樋へと案内することができる。
更に、本発明の第三の目的として、玄米ホッパーより該送りロールの円周に形成した螺旋溝内に玄米を繰り出し、該送りロールの回転によって該螺旋溝の出口端より該精米室内に玄米を供給する構造を有する横型研削式精米機において、該送りロールから精米室への玄米供給の偏りをなくし、回転軸に振動を生じさせないようにするものである。
この目的を達成すべく、本発明は、該送りロールの螺旋溝を一対として、その位相を該送りロールの円周方向に１８０°位相をずらせて形成している。これにより、送りロールから精米室へ、玄米をバランスよく分散した状態で送り込むことができ、回転軸に振動を生じさせず、従って、研削ロールが回転中に振動しないので、均等な精米を確保でき、部品耐久性を向上させる。
そして、本発明の第四の目的として、研削ロール及び排出ロールを回転軸に組み付ける場合に、片持ち支持した回転軸が嵌装した研削ロール等の重みにて傾かないように水平に保持する構造を提供することである。
本目的を達成すべく、本発明は、該送りロールを収納するケースに、持上げ係止ブロックを具備しており、該回転軸上への研削ロール及び排出ロールの装着時に際して、既に該回転軸上に装着した該送りロールと、該回転軸を片持ち支持している該軸受支持体との間に、該持上げ係止ブロックを介装して、該回転軸を水平に支持する。
これにより、各研削ロール及び排出ロールに回転軸を挿通し、該回転軸上の所定位置まで各研削ロール・排出ロールをスライドし、嵌合するまで、回転軸が傾かず、従って、軸に嵌合した研削ロールが抜け落ちることがなく、容易かつ円滑に研削ロール及び排出ロールの回転軸への組み付け作業を進めることができるのである。
また、該軸受支持体には、回転軸の水平支持のために該持上げ係止ブロックを配置する位置のすぐ近傍に凹部を形成し、使用時以外の持上げ係止ブロックを該凹部内に嵌装している。即ち、回転軸の持ち上げ支持を必要としない間、該ブロックは、回転軸や送りロールの回転を阻害しない位置にて軸受支持体に配設されており、メンテナンス等で研削ロールや排出ロールを回転軸に対し脱着する場合に、セット位置のすぐ近傍にあるので、該脱着作業を効率よく行うことができるのである。
本発明の以上の、そしてその他の目的、特徴、効果は、添付の図面を基とする以下の詳細な説明により一層明らかになるであろう。
発明を実施するための最良の形態
第１図乃至第４図により、本発明の横型研削式精米機の全体的な構成を説明する。
下部支持フレーム２０の上に、入口側支持板（前板）１２と、出口側支持板（後板）１３が前後にスパンを置いて固定立設されており、該入口側支持板１２と出口側支持板１３の間には筒状の精米部カバー２２が介設されている。なお、以後、特に断りのない限り、本機は、出口側支持板１３の側（第１図で左側）を前側、入口側支持板１２の側（第１図で右側）を後側として説明する。
入口側支持板１２の後部には送りロールケース１１が固設されていて、その上部に、精米部への玄米供給用の玄米ホッパー１４が固定立設されている。該玄米ホッパー１４の内部には、開閉シャッター２９が前後に進退自在に水平状に嵌装されており、該開閉シャッター２９の下流の下側には、前後回動自在に微調整シャッター２８が設けられている。
該開閉シャッター２９は調整連杆２６を介して、また、微調整シャッター２８は調整連杆２７を介して、出口側支持板１３の上部に取り付けられた玄米供給量調整ダイヤル１７に連結されている。なお、調整連杆２６・２７は精米部カバー２２内を通過している。作業者は、後述の、出口側支持板１３に固設された白米出口部材６に形成されている白米出口６ａ・６ｂより排出される白米量や速度を確認しながら、該玄米供給量調整ダイヤル１７を操作し、これにより、調整連杆２６または２７を前後進退させて、開閉シャッター２９を開閉させたり、微調整シャッター２８の開度を調整し、玄米ホッパー１４からの玄米流出量を調整するのである。
精米部カバー２２に覆われて、入口側支持板１２と出口側支持板１３の間に、回転軸である研削ロール軸１０が水平に軸受け支持されている。第１図の実施例では、研削ロール軸１０上に、送りロール５と、六個の研削ロール１と、排出ロール９と、端部締付螺子３５が嵌装されている。
送りロール５は、送りロールケース１１内にて配設されており、精米部カバー２２内にて、六個の研削ロール１、排出ロール９、端部締付螺子３５が出口側支持板１３に向かって順に配設されている。更に、六個の研削ロール１及び排出ロール９は、精米部カバー２２内にて入口側支持板１２と出口側支持板１３との間に筒状に介設された除糠スクリーンＳにて覆われている。こうして入口側支持板１１と出口側支持板１３との間に精米部を構成している。
研削ロール軸１０の配設、及び、該研削ロール軸１０への送りロール５、研削ロール１、排出ロール９、端部締付螺子３５の組付け手順について、第１図、第５図及び第６図等を用いて説明する。
先ず、下部支持フレーム２０の上と、入口側支持板１２と出口側支持板１３とが立設固定されており、該入口側支持板１２に、送りロールケース１１が前述の如く固設され、更に、該送りロールケース１１の外端（後端）に、軸受３６を内包する軸受カバー３４を固設する。
この状態から、前方より該出口側支持板１３の白米排出用の開口１３ａ（第１図、第１６図及び第１７図参照）を介して、研削ロール軸１０を、該送りロールケース１１に取り付けた軸受３６及び軸受カバー３４の軸孔に挿通し、研削ロール軸１０の段部を軸受３６に接当させる。
こうして軸芯方向に位置決めされた研削ロール軸１０は、軸受３６より後方、即ち、該白米排出側とは反対側に突出しており、この突出部に、重量物として、エンジン動力を受ける入力プーリー２３と、後記除糠ファン４１を駆動するための除糠ファン駆動プーリー２４とを環設固定する。こうして、研削ロール軸１０の後端部に重量をかけた状態にしておいて、前述の精米部構成部品を順に研削ロール軸１０に沿ってその白米出口側の前端部から摺動しては位置決め係止していく。
研削ロール軸１０上に組付けられる精米部構成部品のうち、先ず、送りロール５の中心孔に研削ロール軸１０を通し、該送りロール５を研削ロール軸１０に沿って後方に摺動し、研削ロール軸１０に設けた段部に接当した状態で、該研削ロール軸１０にキーを介して相対回転不能に係止する。
このように、送りロールケース１１内にて、研削ロール軸１０に送りロール５を嵌装した状態にしておいて、白米出口側から、残りの精米部構成部品、即ち、六個の研削ロール１と、一個の排出ロール９を嵌装するのである。この作業において、次々に組付けられる研削ロール１の重みで研削ロール軸１０が前下方へと傾くと、研削ロール軸１０に通した研削ロール１や排出ロール９を研削ロール軸１０に沿って簡単に各所定位置までスライドさせることが出来ず、研削ロール軸１０にキー止めしても、また抜けてしまう。そこで第１図及び第５図中に仮想線にて示す如く、送りロール５の下端と送りロールケース１１の底面との間に、持上係止ブロック８を介装して、送りロール５ごと研削ロール軸１０を下方より支持する。
この持上係止ブロック８は、第６図に示すように、通常時は、送りロールケース１１の下部に設けた上下貫通状の孔１５内に配設され、その下方に配設される閉鎖蓋１６に、ナット付きの把手兼用ボルト８ａにて螺止されている。また、該閉鎖蓋１６は送りロールケース１１に対し、ボルト５１にて締止されている。こうして、通常の精米作業等、持上係止ブロック８を送りロール５の下方に介装する必要のない場合には、該持上係止ブロック８は、閉鎖蓋１６の内側に取り付けられた状態で該孔１５内に配設されて、送りロールケース１１の一部を構成しているのである。
そして、研削ロール１を研削ロール軸１０に対し脱着する場合に、把手兼用ボルト８ａよりナットを外して、閉鎖蓋１６から持上係止ブロック８を分離し、第５図にて仮想線で示す如く、持上係止ブロック８を入口部軸受支持体１１の中に入れて移動させ、送りロール５の底面と送りロールケース１１の内面との間に挿入するのである。この際、作業者は、該把手兼用ボルト８ａを持って持上係止ブロック８を楽に移動させることができ、また、該把手兼用ボルト８ａが該孔１５内に存在することで、持上係止ブロック８が内部に入り過ぎることがない。
このように、送りロール５と送りロールケース１１との間に、持上係止ブロック８を介装して、送りロール５を支持することにより、研削ロール軸１０を略水平な状態に保持することができ、最後の端部締付螺子３５を研削ロール軸１０に嵌装するまで、各研削ロール１及び排出ロール９を容易かつ確実に研削ロール軸１０上の所定位置まで摺動させ、キー止めすることができる。
研削ロール軸１０上の所定位置まで摺動させた各研削ロール１を、該研削ロール軸１０に相対回転不能にキー止めしていき、全ての研削ロール１の嵌装を終えると、排出ロール９を研削ロール軸１０に嵌装する。そして、この状態で、送りロール５、研削ロール１、排出ロール９が、白米出口側へと摺動して研削ロール軸１０から抜けないように、端部締付螺子３５を該研削ロール軸１０に螺装して締付け固定する。更に、白米出口部材６の軸孔６ｃに研削ロール軸１０を挿通しつつ該白米出口部材６を該出口側支持板１３に取付固定し、軸受３７を内包する軸受カバー３３の軸孔に該研削ロール軸１０の前端部を嵌入しつつ、軸受カバー３３を該白米出口部材６に固設する。こうして、研削ロール軸１０に組み付けるべき精米部の構成部品の組立を完了する。
その後に、第７図や第８図等に示す如き二つの半割筒状のスクリーン半部２・２を研削ロール１の回りに配置して、各スクリーン半部２の外周端部に形成されている軸芯と平行な接合用フランジ２ａ同士を接合・締結し、第４図や第９図等に示すような一個の筒状態の除糠スクリーンＳを構成する。更に、第１図に示すように、該除糠スクリーンＳの入口側開口端と出口側開口端をそれぞれ入口側支持板１２及び出口側支持板１３に固定し、前後の両支持板１２・１３間に介設する。こうして、筒状の除糠スクリーンＳと研削ロール１との間に略環状の精米室を形成するのである。
本精米機においては、第９図や第１０図等に示すように、両スクリーン半部２・２の接合用フランジ２ａ同士を接合する位置として、水平状の接合面Ｊを介してスクリーン半部２・２を上下に配して接合することも可能であるし、第４図に示すように、接合面Ｊを鉛直状にしてスクリーン半部２・２を左右に配して接合することも可能である。このように、研削ロール軸１０を中心にスクリーン半部２・２の位置（接合用フランジ２ａの位置）を回転移動させることで、後述の、該除糠スクリーンＳ内に固設されるストッパ３及びフラップ４の位置を、該研削ロール軸１０回りに変更することができる。これについては、後に詳述する。
更に、除糠スクリーンＳの上方にて、入口側支持板１２と出口側支持板１３との間に前述の調整連杆２６・２７を介設する等してから、該除糠スクリーンＳ及び調整連杆２６・２７を覆うように、入口側支持板１２と出口側支持板１３との間に精米部カバー２２を介設することで、精米部の組立を略完了する。
第１図に示すように、下部支持フレーム２０には漏斗型の集糠樋２１が設けられている。精米作業中は、研削ロール１と除糠スクリーンＳとの間に構成された精米室より、除糠スクリーンＳのスリット２ｂ（第７図等参照）を介して糠が落下し、これが該集糠樋２１にて集められる。
また、送りロールケース１１の後部には、除糠風ダクト１１ａが構成されており、その下方には、除糠ファン４１を内包する除糠ファンケース４０が配設されていて、その上向きの送風ダクト口が、該除糠風ダクト１１ａの下端入口と接合しており、これにより、除糠ファン４１の起こす風が、除糠風ダクト１１ａを介して、送りロールケース１１内における中空状の送りロール５内に導入され、更には、研削ロール軸１０に沿って、研削ロール１内へと導入される。また、各研削ロール１の外周に配設される砥石１ａには、第１図や第４図等のように、研削ロール１内外を連通する噴風路１ｂが適宜に切欠形成されていて、該研削ロール１内に導入さた除糠ファン４１からの風は、除糠風として研削ロール１内から精米室へと吹き出されて、糠を、精米室より除糠スクリーンＳのスリット２ｂを介して集糠樋２１へと排出するのである。
第１図、第３図に示すように、研削ロール軸１０上に固設されたファン駆動プーリー２４より、該除糠ファン４１に付設されるファン入力プーリー２５に、ベルト４３を介して動力が伝達されて、該除糠ファン４１が回転駆動される。なお該ベルト４３のテンション調整のため、除糠ファンケース４０の上部後面にテンションプーリー４２が左右位置変更可能に取り付けられる。
次に、第７図乃至第１１図に図示されている除糠スクリーンＳの内周面に付設されるストッパ３とフラップ４の配置構成について説明する。
除糠スクリーンＳは、前述のような構成により、半割筒状の二つのスクリーン半部２に縦割状に分割可能となっている。各スクリーン半部２の内周面には、第７図や第８図等の如く、その周方向（研削ロール軸１０に直交する円状断面の円弧方向）に、複数のストッパ３及びフラップ４が平行状にスポット溶接により固設されている。この他、ストッパ３のみを付設するスクリーン半部２、或いはフラップ４のみを付設したスクリーン半部２を構成することも考えられる。
フラップ４は、平らな細長い板材であり、また、ストッパ３は、断面Ｌ字形の細長い板材であって、各スクリーン半部２の断面円周方向に沿って円弧状に湾曲されたものである。
除糠スクリーンＳの内周面と研削ロール１の外周面との間の距離は約８．５ｍｍである。フラップ４の厚さは、１．６ｍｍ程度であり、従って、フラップ４と除糠スクリーンＳの内周面との間に約６．９ｍｍの距離の間隙が生じ、これが精米室内にて、米の流れる際の抵抗となる。即ち、フラップ４は、米の流れを完全に止める程の阻止力は持っていないが、米の流動量を制限する。これにより、精米室内における米の通過時間、滞留時間を調整することができる。
これに対して、ストッパ３の最大の厚みは７．５ｍｍ程度であり、除糠スクリーンＳの内周面との間に、厚さ１ｍｍ程度の間隙しか生じない。このような狭い間隙では、殆どの米が通過不可能であり、米は、精米室内において、ストッパ３を回避しないと、入口側から出口側へと移動できない。即ち、ストッパ３は、米の流路を変更する機能を有する。
ストッパ３、フラップ４とも、その長手方向において、各端部とスクリーン半部２の各接合用フランジ２ａとの間に、一定の距離を設けて、米を通過させる前述の約８．５ｍｍの厚みの隙間を確保している。第９図で説明すると、ストッパ３の各端とフランジ２ａとの距離をＧ２の半分（例えば、約８５ｍｍ）、フラップ４の各端とフランジ２ａとの距離をＧ３の半分（例えば、約６０ｍｍ）としている。
除糠スクリーンＳ内のストッパ３及びフラップ４については、様々な配置が考えられる。先ず、本実施例では、前述のように、互いに接合される各スクリーン半部２を、研削ロール軸１０回りに位置変更することができ、このように位置変更することで、該研削ロール軸１０に直交する断面円周方向に、ストッパ３・フラップ４の配設位置を変更することができる。例えば、第９図では、スクリーン半部２・２を上下にして、水平状の接合面Ｊを介して接合しているが、これを、第４図に示す如く、研削ロール軸１０回りに９０°回転した位置にて、スクリーン半部２・２を左右にして鉛直状の接合面Ｊにて接合した状態にしたり、或いは１８０°反転してスクリーン半部２同士を上下反対にしたりすることが考えられる。
このようにして、各スクリーン半部２に付設されるストッパ３・フラップ４を除糠スクリーンＳの円周方向に位置変更できることで、精米室上流側の送りロール５外周に形成した後記送り込み螺旋溝５０ａ・５０ｂの出口端や、排出ロール７、ひいては後記白米出口６ａ・６ｂに対するストッパ３やフラップ４の相対位置が変更されることとなり、精米室への玄米の導入及び精米室からの白米の搬出状況を良好に設定することができる。
そして、各スクリーン半部２におけるストッパ３及びフラップ４の配置について、様々なものが考えられるし、また、どのようなストッパ３及びフラップ４を有するスクリーン半部２を組み合わせるかについても、様々である。
各スクリーン半部２について言えば、第７図及び第８図のように、それぞれ二本のストッパ３・フラップ４を交互に配置することが考えられる。ストッパ３・フラップ４の各々は、第１０図や第１２図等に示すように、研削ロール軸１０上の六個の研削ロール１のうち、両端の二つを除く中央の四個の研削ロール１Ａ・１Ｂ・１Ｃ・１Ｄの各々の外周に沿うように配設されている。
第９図乃至第１３図は、このような同一構造のスクリーン半部２・２を上下に配設して、それぞれ、スクリーン上半部２Ｕ・スクリーン下半部２Ｌとし、これらを接合して、除糠スクリーンＳを構成したものを示しているが、第１０図及び第１１図（ａ）〜（ｄ）に示す除糠スクリーンＳと、第１２図及び第１３図（ａ）〜（ｄ）に示す除糠スクリーンＳとでは、スクリーン上半部２Ｕが前後逆（入口端と出口端とが逆）になっている。これにより、中央の四個の各研削ロール１の上半外周に沿って配置されるストッパ３・フラップ４の、該研削ロール軸１０方向における順序が、両実施例のスクリーン上半部２Ｕ同士の間で入れ替わっている。
第１０図及び第１１図（ａ）〜（ｄ）の実施例の場合、該研削ロール１Ａ・１Ｂ・１Ｃ・１Ｄのうち、一つ置きの二個の研削ロール１Ａ・１Ｃは、第１１図（ａ）・（ｃ）の如く、その上半部がフラップ４に、下半部がストッパ３に囲まれており、残りの一つ置きの二個の研削ロール１Ｂ・１Ｄは、第１１図（ｂ）・（ｄ）の如く、その上半部がストッパ３に、下半部がフラップ４に囲まれている。即ち、該中央四個の研削ロール１Ａ・１Ｂ・１Ｃ・１Ｄのうちいずれもが、上半部・下半部のいずれか一方をストッパ３にて、もう一方をフラップ４にて囲まれている。
対して、第１２図及び第１３図（ａ）〜（ｄ）の実施例の場合、該中央四個の研削ロール１のうち、一つ置きの二個は、第１３図（ａ）・（ｃ）の如く、その上半部・下半部ともストッパ３に囲まれ、残りの一つ置きの二個は、第１３図（ｂ）・（ｄ）の如く、その上半部・下半部ともフラップ４に囲まれている。
両者の実施例における米の流動性に関して比較すると、第１２図及び第１３図の除糠スクリーンＳを用いた場合は、精米室内の各上下一対のストッパ３より上流側の米は、対象となっている各研削ロール１Ａ・１Ｃの左右にて各上下のストッパ３同士の間に形成される長さＧ２の非常に短い隙間を介してしか、その下流側に移動することはできない。なお、残りの二個の研削ロール１Ｂ・１Ｄにおいては、上下のフラップ４・４によって、各研削ロール１の上下にそれぞれ薄隙間が、左右にそれぞれ長さＧ３の正規厚の隙間が形成されている。
これに対し、第１０図及び第１１図の除糠スクリーンＳを用いた場合は、中央四個の各研削ロール１の外周には、ストッパ３が配置されていて、精米室内における米の入口側から出口側への流動が阻止されるものの、それに対峙して設けられているフラップ４と研削ロール１との間の薄くなっている隙間（以後、「薄隙間」とする）、そして、各研削ロール１の左右にて、各ストッパ３・フラップ４間に形成される左右に正規の厚みの長さＧ１の隙間を介して、米は、入口側から出口側へと流動する。なお、薄隙間は、中央四個の研削ロール１の一個毎に上下反転状に位置を入れ換わっており、精米室入口側から出口側への米の流通が上下いずれかに偏るのを防いでいる。
このように、第１０図及び第１１図に示す除糠スクリーンＳに比べ、第１２図及び第１３図に示す除糠スクリーンＳの方が、ストッパ３による米の流動阻止効果が高く、精米室内における米の充填時間を長くし、滞留時間も長くすることができるので、精米度合いが高くなる。
いずれを用いるかは、現場の要望に応じて決めればよいが、仮に一方の様態の除糠スクリーンＳを準備しておいて、もう一方の様態の方がよいということになっても、両スクリーン半部２Ｕ・２Ｌのうち、スクリーン上半部２Ｕを前後反転して（入口端と出口端とを入れ換えて）組み直すだけで、直ちに対応できるのである。
なお、スクリーン上半部２Ｕでなく、スクリーン下半部２Ｌを前後反転させることも考えられる。
この他、二つのスクリーン半部２・２のうち、一方を、第７図及び第８図に示すようなストッパ３及びフラップ４を有するものとし、他方を、ストッパ３のみを有するものとして、これらを組み合わせて除糠スクリーンＳを構成することも考えられるし、極端に精白度合いを高くするには、両方を、ストッパ３のみ具備するスクリーン半部２とすることも考えられる。なお、フラップ４のみを具備するスクリーン半部２を用いることも考えられる。
次に、第１４図により、送りロール５の外周面に形成した玄米の送り込み螺旋溝５０について説明する。
第１図にて図示している送りロール５には、その入口端（右端）から出口端（左端）にかけて、外周面上に、玄米ホッパー１４から落下する玄米を取り込む螺旋溝（送り込み螺旋溝）５０が一本形成されている。対して、第１４図に示す送りロール５には、外周面に二本の送り込み螺旋溝５０ａ・５０ｂを平行して形成している。該送り込み螺旋溝５０ａ・５０ｂ同士は、該送りロール５の回転方向に１８０°位相をずらせて、即ち、両溝５０ａ・５０ｂの始端同士、終端同士はそれぞれ該送りロール５の後端円周縁・前端円周縁において、１８０°ずらせて配置している。
このようにして、送りロール５の外周面には、その軸芯に沿って、二本の送り込み螺旋溝５０ａ・５０ｂが、等間隔で交互に並行しており、両溝５０ａ・５０ｂに玄米を均分して取込むことができて、更に、１８０°回転角度の異なる両溝５０ａ・５０ｂの終端より玄米が精米室へと送り込まれるので、研削ロール１の回転時のバランスを取って、振動を少なくすることが出来るのである。
次に、白米出口部材６に形成される白米出口の構成について説明する。
白米出口部材６の下部には、第２図、第１５図乃至第１７図に示すように、第一出口である下部白米出口６ａが開口されており、白米出口部材６の上部には、第１６図に示すように、第二出口である上部白米出口６ｂ・６ｂが、軸受カバー３３の上方にて左右に一対設けられている。即ち、該白米出口部材６には合計三口の白米の出口が設けられていて、全て、第１６図及び第１７図に示すように、出口側支持板１３に形成した白米排出用の開口１３ａに連通している。
第１５図乃至第１７図に示すように、該下部白米出口６ａより外方斜め下方に向けて、白米出口樋４６が延設されており、該白米出口樋４６には、上部白米出口６ｂ・６ｂから落下する精米のための左右通路４６ｂ・４６ｂと、下部白米出口６ａからの中央通路４６ａが構成されている。
また、両上部白米出口６ｂや、軸受カバー３３の周囲の白米出口部材６の前面を覆うように、該白米出口部材６の前面に出口側カバー７を取り付けており、該出口側カバー７の内部にて、左右各上部白米出口６ｂ・６ｂから白米出口樋４６内の左右各通路４６ｂ・４６ｂまでの白米通路を構成している。なお、該出口側カバー７には、左右各上部白米出口６ｂに対峙するように、透明の覗き窓３２・３２が嵌め込まれていて、該上部白米出口６ｂからの白米の排出具合や排出される白米の精白度合いを視認することができる。
更に、該上部白米出口６ｂ・６ｂのそれぞれを開閉可能として、精米時間を短縮したい場合は二つの上下白米出口６ｂから、精米時間を長くしても、精白度をより一層高くしたい場合は一つの上下白米出口６ｂのみから白米を排出するようにしてもよい。
該白米出口樋４６を覆うように、圧力調整シャッター１８が配設されており、その上端部が、該下部白米出口６ａの上方にて、該白米出口樋４６に横架された水平の枢支軸１８ｂにて、上下回動自在に枢支されている。なお、圧力調整シャッター１８の内側には、中央通路４６ａ内に配置される下部白米出口用シャッター１８ａが一体状に具備されており、その下端は該中央通路４６ａの床面に接しすることで、下部白米出口６ａを完全に閉塞可能となっている。なお、該下部白米出口用シャッター１８ａの下端が該中央通路４６ａの床面に接している時、該下部白米出口用シャッター１８ａを含めて、圧力調整シャッター１８は、後下方へと傾斜気味となっている。
該圧力調整シャッター１８より一体状に、ウェイト装着杆３１が前下方に突設されている。該ウェイト装着杆３１には、数や位置を調整しながら調整ウェイト３０を装着固定できるようになっており、該調整ウェイト３０にかかる重力によって該圧力調整シャッター１８が下方に付勢され、その結果、下部白米出口用シャッター１８ａの下端を該白米出口樋４６（中央通路４６ａ）に押圧する力を生み出し、この押圧力の加減により、下部白米出口６ａの自由開度が決まるのである。即ち、この押圧力が弱いと、自由開度が高い状態となり、下部白米出口６ａから排出される米は、該下部白米出口用シャッター１８ａを押して中央通路４６ａを伝って排出される。この押圧力を強める毎に自由開度は低くなり、やがて０となる程に強くすると、下部白米出口６ａから排出される米は、該下部白米出口用シャッター１８ａに阻止されて、それ以上中央通路４６ａを伝って流れ落ちることはできない。
なお、予備の調整ウェイト３０は、白米出口樋４６の近傍にて該出口部軸受支持体６に水平状に突設された予備ウェイト装着杆４５に通して装備している。圧力調整シャッター１８の押圧力を増やしたい場合は、予備ウェイト装着杆４５より予備の調整ウェイト３０を抜き出し、ウェイト装着杆３１に装着する。圧力調整シャッター１８の押圧力を減らしたい場合は、ウェイト装着杆３１から余分の調整ウェイト３０を抜いて予備ウェイト装着杆４５に装着しておく。
このように、ウェイト装着杆３１に装着する調整ウェイト３０の数や位置を調整することにより、圧力調整シャッター１８の付勢力が調整されて、下部白米出口６ａの自由開度が調整され、これにより、除糠スクリーンＳと研削ロール１との間に形成される精米室内における米の滞留時間、即ち、研削時間、そして充填量が調整されるのである。
即ち、排出される白米の精白度合いを高くする場合、該ウェイト装着杆３１における調整ウェイト３０を重くして、下部白米出口６ａに設けた圧力調整シャッタ１８の白米排出に対抗する押圧力、即ち閉塞度合いを強くし、研削ロール１と除糠スクリーンＳとの間の精米室での米の滞留時間を長くする。これにより、精米室内での米の充填量が増し、そのレベル位置が上昇すると、自然に左右の上部白米出口６ｂ・６ｂから白米の排出がなされる。なお、この際、上部白米出口６ｂを前記の如く開閉可能として一つだけを開口させておけば、更に精米室での滞留時間及び充填量が増し、精白度は一層高くなる。該上部白米出口６ｂ・６ｂから排出された白米は、出口側カバー７の内部を通過して、白米出口樋４６の左右通路４６ｂ・４６ｂに案内されて落下する。
白米の精白度合いを低くする場合には、ウェイト装着杆３１上の調整ウェイト３０の位置と数を調整することにより、圧力調整シャッタ１８の押圧度合いを低くする。この時、白米は、第一出口である下部白米出口６ａから主として落下して、白米出口樋４６の中央出口４６ａへと落下する。
このように、圧力調整シャッター１８の自由開度調整により、低白度精米時には第一出口である下部白米出口６ａのみから、高白度精米時には第二出口である上部白米出口６ｂ・６ｂのみから、そして、中白度精米時には、下部白米出口６ａ及び上部白米出口６ｂ・６ｂの合計三つの出口から、白米が排出されることとなる。
こうして、圧力調整シャッター１８の自由開度調整により、精米室内における米の滞留時間及び充填量を調整して、精白度を調整する一方、高精白度を選んだ場合も、上部白米出口６ｂにより白米は円滑に排出され、精米効率を確保するのである。
なお、第１６図にて図示する如く、軸受カバー３３内にて、研削ロール軸１０の前端には、軸受清浄ファン４８が固定されており、該軸受カバー３３の前端に下向きに形成した冷却風取入口４９から取り入れた風を軸受３７に吹きつける。この風により、排出ロール９から白米出口部材６の軸孔６ｃを介して軸受３７へと漏れだした小米や糠を、逆に排出ロール９側へと送り返し、このような付着物による軸受３７の焼きつきを防止するのである。
また、第１５図や第１６図において図示する如く、排出ロール９の出口側は円錐台状に構成されており、該部分に、排出効果を上げる為の押出し体４７を配設している。該押出し体４７は、ボルトにより排出ロール９の円錐台の面に脱着自在として、その形状や厚さを変更可能としている。
産業上の利用分野
以上のように、本発明に係る横型研削式精米機は、玄米の種類や得ようと思う精白度の違いに応じて、簡単な構造ながら容易な精米室内での米の流通経路や白米出口の設定変更が可能であり、更には、玄米の精米室への導入構造を工夫して振動を少なくしているので、精米角度や部品の耐久性の高いものとなっている。従って、本発明により、精米業者等に低コストで耐久性が高く、かつ現場対応度の高い横型研削式精米機を提供できるのである。
【図面の簡単な説明】
第１図は、本発明の横型研削式精米機の全体側面断面図である。
第２図は、同じく正面図であって、白米出口側を示している図である。
第３図は、同じく背面図であって、玄米入口側を示している図である。
第４図は、同じく正面断面図であって、前後途中部における精米部を示しており、除糠スクリーンＳを構成するスクリーン半部２同士の接合面Ｊを鉛直面としている図である。
第５図は、該横型研削式精米機の送りロールケース１１の下部における持上係止ブロック８の配設箇所を示す部分側面断面図である。
第６図は、第５図のＶＩ−ＶＩ線矢視断面図である。
第７図は、スクリーン半部２同士の接合面Ｊを水平面として構成した除糠スクリーンＳの正面図であって、上下各スクリーン半部２Ｕ・２Ｌにストッパ３及びフラップ４が付設されているものを示す図である。
第８図は、ストッパ３及びフラップ４を交互に内周面に付設したスクリーン半部２の部分斜視図である。
第９図は、二つのスクリーン半部２・２同士を重ね合わせた状態を示す斜視図である。
第１０図は、ストッパ３及びフラップ４を交互に内周面に付設した同一構造の二つのスクリーン半部２をそれぞれスクリーン上半部２Ｕ・スクリーン下半部２Ｌとし、水平の接合面Ｊを介して接合して構成した除糠スクリーンＳを用いた横型研削式精米機の側面断面略図である。
第１１図（ａ）は、第１０図におけるａ−ａ線矢視断面図、第１１図（ｂ）は、第１０図におけるｂ−ｂ線矢視断面図、第１１図（ｃ）は、第１０図におけるｃ−ｃ線矢視断面図、第１１図（ｄ）は、第１０図におけるｄ−ｄ線矢視断面図である。
第１２図は、第１０図に示すスクリーン上半部２Ｕを前後反対にして除糠スクリーンＡを構成した場合の横型研削式精米機の側面断面略図である。
第１３図（ａ）は、第１２図におけるａ−ａ線矢視断面図、第１３図（ｂ）は、第１２図におけるｂ−ｂ線矢視断面図、第１３図（ｃ）は、第１２図におけるｃ−ｃ線矢視断面図、第１３図（ｄ）は、第１２図におけるｄ−ｄ線矢視断面図である。
第１４図は、二つの玄米送り用螺旋溝５ａ・５ｂを有する送りロール５の斜視図である。
第１５図は、調整シャッター１８を上方に回動して下部白米出口６ａを開いた状態における本発明の横型研削式精米機の出口側面を示す部分斜視図である。
第１６図は、白米出口６ａ・６ｂと調整シャッター１８の位置及び構造を示す本発明の横型研削式精米機の部分側面断面図である。
第１７図は、横型研削式精米機の白米出口樋４６部分の平面図である。
【図１】
2002100546.tif 000003
【図２】
2002100546.tif 000004
【図３】
2002100546.tif 000005
【図４】
2002100546.tif 000006
【図５】
2002100546.tif 000007
【図６】
2002100546.tif 000008
【図７】
2002100546.tif 000009
【図８】
2002100546.tif 000010
【図９】
2002100546.tif 000011
【図１０】
2002100546.tif 000012
【図１１】
2002100546.tif 000013
【図１２】
2002100546.tif 000014
【図１３】
2002100546.tif 000015
【図１４】
2002100546.tif 000016
【図１５】
2002100546.tif 000017
【図１６】
2002100546.tif 000018
【図１７】
2002100546.tif 000019
【手続補正書】
【提出日】平成15年4月14日(2003.4.14)
【手続補正１】
【補正対象書類名】明細書
【補正対象項目名】請求項１
【補正方法】変更
【補正の内容】
【請求項１】
水平状の回転軸（１０）上に環設固定した研削ロール（１）を、縦割に二つのスクリーン半部（２・２）に分割可能な同心円筒状の除糠スクリーン（Ｓ）で覆って精米室を形成している構造の横型研削式精米機において、該除糠スクリーン（Ｓ）を二分割した各スクリーン半部（２）の内周面に、該円筒の軸芯に直交する円状断面の円周に沿って湾曲する円弧状部材により構成されたストッパ（３）またはフラップ（４）を固設しており、該フラップ（４）の高さは、該フラップ（４）と研削ロール（１）の外周との間に通過量を制限しつつ米を通過可能な距離の間隙を確保できる高さとし、該ストッパ（３）の高さは、該ストッパ（３）と研削ロール（１）の外周との間に米を通過できない程度の距離の間隙を確保する高さとしていることを特徴とする横型研削式精米機。
【国際調査報告】
2002100546.tif 000020
2002100546.tif 000021
2002100546.tif 000022